(57)【要約】      （修正有）【課題】モーターの部品数を減らしながらも、迅速且つ堅固な組み立てが可能となる新しい構造のファンモーターを提供する。【解決手段】ファンモーターは、シャフト３０と共に回転するローター１０、上記ローター１０と対向する位置に設けられるステータ、上記ステータを構成する上部インシュレータ２１とコア２２とに結合される上部カバー用ブラケット６０、固定設置用ブラケット７０に安置され、上記ステータのコア２２、上部インシュレータ２１及び下部インシュレータ２３、及び印刷回路基板５０が結合されるモーターブラケット８０、及び上記下部インシュレータ２３の下方に結合した印刷回路基板５０の下部面とモーターブラケット８０の内側の下部面の間に形成した空間部に充填したシーリング部材を含んでなることを特徴とする。【選択図】図１
2018102115.tif 000002
【特許請求の範囲】
【請求項１】
シャフト３０と共に回転するローター１０；
上記ローター１０と対向する位置に設けられるステータ２０；
上記ステータ２０を構成する上部インシュレータ２１とコア２２とに結合される上部カバー用ブラケット６０；
固定設置用ブラケット７０に安置され、上記ステータ２０のコア２２、上部インシュレータ２１及び下部インシュレータ２３、及び印刷回路基板５０が結合されるモーターブラケット８０；及び
上記下部インシュレータ２３の下方に結合させた印刷回路基板５０の下部面とモーターブラケット８０の内側の下部面の間に形成した空間部Ｓに充填させたシーリング部材１００；
を含んでなることを特徴とするファンモーター。
【請求項２】
上記ローター１０の中央内部に形成された腰入部１１の内周面が上記モーターブラケット８０の中央へ突出して形成された嵌め込み突起部８１の外周面に配置されることを特徴とする請求項１に記載のファンモーター。
【請求項３】
上記ステータ２０の上部及び下部インシュレータ２１、２３のそれぞれの下部及び上部周り、コア２２の周囲面、印刷回路基板５０の周囲面のそれぞれにモーターブラケット８０の内側に一定間隔に突出して形成された長手方向の複数の固定案内片８２が嵌め込まれる案内溝２１'、２３'、２２'、５０'を複数で形成することを特徴とする請求項１に記載のファンモーター。
【請求項４】
上部カバー用ブラケット６０は、上部カバー用ブラケット６０の周りに形成された上記モーターブラケット８０の固定案内片８２が嵌め込まれる複数の案内溝６１と；上記案内溝６１と案内溝６１の間の周りの下方へ突出して形成された複数の半円型固定片６２；を含むことを特徴とする請求項１に記載のファンモーター。
【請求項５】
上部カバー用ブラケット６０は、上記ステータ２０の上部インシュレータ２１に形成した案内溝２１'と上記案内溝６１を対向させて覆い、上記上部カバー用ブラケット６０の周りの下部面は、上記ステータ２０の上部インシュレータ２１の周りの上部面と接触するようにし、半円型固定片６２の内側面６２'は、上部インシュレータ２１の上部周り２１Ａの周囲面２１Ａ'に接した後、上記面接触部位を接着剤で固定してあることを特徴とする請求項４に記載のファンモーター。
【請求項６】
上部カバー用ブラケット６０の半円型固定片６２の内側に係止突起６２"が形成されたことを特徴とする請求項４に記載のファンモーター。
【請求項７】
上部インシュレータ２１の上部周り２１Ａに上記半円型固定片６２が嵌め込まれる凹溝２１Ａ"を形成し、上記半円型固定片６２の内側面６２'と、上部インシュレータ２１の上部周り２１Ａに形成した凹溝２１Ａ"の内側面は接着剤で接着して構成してあることを特徴とする請求項５に記載のファンモーター。
【請求項８】
モーターブラケット８０は、中央へ突出して形成した内部に空間部８１'を有する嵌め込み突起部８１と；内周面に一定間隔を置いて内側に突出するように形成した複数の固定案内片８２と；上記モーターブラケット８０の一側に印刷回路基板５０と電気的に接続するリード線１１０の引き出し穴８３；及び外側へ突出して形成された固定ボルト１２０用固定片８４を含んで構成することを特徴とする請求項１に記載のファンモーター。
【発明の詳細な説明】
【技術分野】
【０００１】
本発明は、ファンモーターに関する。より具体的に、本発明は冷蔵庫の冷気を外部へ放出させたり、恒温恒湿器などのような装置の内部と外部の空気を循環させるために用いる冷気循環用ファンモーターの組み立て性を向上させ、製造コストを下げることができるし、また堅固な組み立てによってステータ及びローターの離脱を防止すると同時に、印刷回路基板に搭載した回路素子を保護するファンモーターに関する。
【背景技術】
【０００２】
一般に、冷蔵庫の冷気を送風させたり、とある装置の内部と外部の空気を循環させるために用いられるモーターをファンモーターと言う。このようなファンモーターは、大体湿気の多い所や温度変化による結露が生じる環境に設けられる場合が多い。そのため、モーター内部に湿気が侵透し、故障を起こすことがあるので、これを防止するための様々な構造が研究されてきた。
【０００３】
日本特開２０１０-２４６２０３号及び韓国公開特許公報第１０-２０１６-００５９３１３号では、シャフトの上部及び下部を支える２個のベアリングを適用したファンモーターを開示している。
【０００４】
上記先行技術は、シャフトの上下、それぞれに２個のベアリングを設けてシャフト回転を提供するので、２個の上下ベアリングを設けることによる構成の複雑性及び製造コスト上昇の要因が発生し、上部カバー用ブラケットと固定設置用ブラケットを互いに結合させる構造を提供しているので、ローターが回転する時発生する振動がステータを構成する上下インシュレータ及びコアがブラケット内部の壁面に伝わって相互結合された部位に影響を与えることがある。ひいては、ステータ位置の移動やローターの浮上などによって離脱される問題点、そして伝わる振動によって騷音の発生する問題点が生じえる。
【０００５】
また、ステータに巻線されたコイルと電気的に接続した印刷回路基板は、下部支え用ブラケットの内部面に接している状態で設けられ、ローターが回転する時発生する振動によって上記印刷回路基板に搭載された回路部品に悪影響を及ぼすことがあるので、モーターの誤動作を引き起こすことはもとより、モーターの品質を低下する問題点がある。
【０００６】
ここで、本発明者は上述の問題点を解決するために、モーターの部品数を減らしながらも、迅速且つ堅固な組み立てが可能となる新しい構造のファンモーターを提案する。
【発明の概要】
【発明が解決しようとする課題】
【０００７】
本発明の目的は、新しい構造のファンモーターを提供することである。
【０００８】
本発明の別の目的は、シャフトに１個のベアリングを設け、上記シャフトにローターをインサート射出成形することで組み立て性を向上させると同時に、製造コストを下げることができるファンモーターを提供することである。
【０００９】
本発明のもう一つの目的は、上部カバー用ブラケットとモーターブラケットをステータのコアを媒介にして堅固に結合されるようにして、ステータアセンブリー及びローターの離脱を防止することができるファンモーターを提供することである。
【００１０】
本発明のもう一つの目的は、印刷回路基板の損傷を防止して、より信頼性のあるファンモーターを提供することである。
【００１１】
本発明の上記目的及びその他に内在している目的は、以下で説明する本発明によっていずれも容易に達成することができる。
【課題を解決するための手段】
【００１２】
本発明によるファンモーターは
シャフト３０とともに回転するローター１０；
上記ローター１０と対向される位置に設けられるステータ２０；
上記ステータ２０を構成する上部インシュレータ２１とコア２２とに結合される上部カバー用ブラケット６０；
固定設置用ブラケット７０に安置されて、上記ステータ２０のコア２２、上部インシュレータ２１及び下部インシュレータ２３、及び印刷回路基板５０が結合されるモーターブラケット８０；及び
上記下部インシュレータ２３の下方に結合した印刷回路基板５０の下部面と、モーターブラケット８０の内側の下部面の間に形成した空間部Ｓに充填したシーリング部材１００；
を含んでなることを特徴とする。
【００１３】
本発明において、上記ローター１０の中央内部に形成された腰入部１１の内周面が上記モーターブラケット８０の中央に突出して形成された嵌め込み突起部８１の外周面に配置されることが好ましい。
【００１４】
本発明において、上記ステータ２０の上部及び下部インシュレータ２１、２３のそれぞれの下部及び上部の周り、コア２２の周囲面、印刷回路基板５０の周囲面のそれぞれに、モーターブラケット８０の内側に一定間隔で突出して形成された長手方向の複数の固定案内片８２が嵌め込まれる案内溝２１'、２３'、２２'、５０'を複数形成しても良い。
【００１５】
本発明において、上部カバー用ブラケット６０は、上部カバー用ブラケット６０の周りに形成された上記モーターブラケット８０の固定案内片８２が嵌め込まれる複数の案内溝６１と；上記案内溝６１と案内溝６１の間の周りの下方へと突出して形成された複数の半円型固定片６２；を含んでも良い。
【００１６】
本発明において、上部カバー用ブラケット６０は、上記ステータ２０の上部インシュレータ２１に形成した案内溝２１'と上記案内溝６１を対向させて覆い、上記上部カバー用ブラケット６０の周りの下部面は、上記ステータ２０の上部インシュレータ２１周りの上部面と接するようにし、半円型固定片６２の内側面６２'は、上部インシュレータ２１の上部周り２１Ａの周囲面２１Ａ'に接するようにした後、上記接触部位を接着剤で固定しても良い。
【００１７】
本発明において、上部カバー用ブラケット６０の半円型固定片６２の内側に係止突起６２"が形成されることが好ましい。
【００１８】
本発明において、上部インシュレータ２１の上部周り２１Ａに上記半円型固定片６２が嵌め込まれる凹溝２１Ａ"を形成し、上記半円型固定片６２の内側面６２'と上部インシュレータ２１の上部周り２１Ａに形成した凹溝２１Ａ"の内側面は、接着剤で接着して構成しても良い。
【００１９】
本発明において、モーターブラケット８０は、中央に突出するように形成した内部に空間部８１'を有する嵌め込み突起部８１と；内周面に一定間隔を置いて内側へ突出するように形成した複数の固定案内片８２と；上記モーターブラケット８０の一側に印刷回路基板５０と電気的に接続するリード線１１０の引き出し穴８３；及び外側へ突出するように形成した固定ボルト１２０用固定片８４を含んで構成した方が良い。
【発明の効果】
【００２０】
本発明は、ベアリングの取付け数を減らすと同時に、シャフトとローターをインサート射出して一つのボディーで提供することで、速やかに組み立てるし、製造コストを節減することができる。また、ステータと上部カバー用ブラケット及びモーターブラケットを容易且つ堅固に結合することにより、ローター及びステータの位置が離脱されることを防止すると同時に、モーターの振動による印刷回路基板の部品損傷を防止して、ファンモーターの信頼性を大きく増進させる効果を有する。
【図面の簡単な説明】
【００２１】
【図１】本発明によるファンモーターを分解して示した斜視図である。
【図２】本発明によるファンモーターを細かく分解して示した斜視図である。
【図３】本発明のモーターブラケットに上部カバー用ブラケットが結合された状態を示す斜視図である。
【図４】本発明のステータと上部カバー用ブラケットが分離されている状態を示す斜視図である。
【図５】本発明のステータと上部カバー用ブラケットが結合されている状態を示す斜視図である。
【図６】図４から上部カバー用ブラケットの底面が見えるように示した斜視図である。
【図７】本発明のローター及びオイレスベアリングが分離されている状態を示す斜視図である。
【図８】本発明のモーターブラケットに上部カバー用ブラケットが結合された状態を示す断面図である。
【図９】図８のＡ-Ａ線に沿って切断して眺めた断面図である。
【図１０】図８のＢ-Ｂ線に沿って切断して眺めた断面図である。
【図１１】本発明の別の実施例によるファンモーターからステータと上部カバー用ブラケットが分離されている状態を示した斜視図である。
【図１２】本発明の別の実施例によるファンモーターでのステータを示した平面図である。
【図１３】本発明によるファンモーターの断面図である。
【００２２】
以下、添付の図面を参照にして本発明について詳しく説明する。
【発明を実施するための形態】
【００２３】
上記示した図面に図示されたように、本発明によるファンモーターは、ローター１０、ステータ２０、シャフト３０、オイレスベアリング４０、印刷回路基板５０、合成樹脂からなる上部カバー用ブラケット６０、冷蔵庫などの機器に付着する合成樹脂からなる固定取付用ブラケット７０及び合成樹脂からなるモーターブラケット８０、そして上記シャフト３０に嵌め込まれて回転するファン９０を含んでなる。
【００２４】
本発明の全体的な組み立て構成を図１３を参照にして具体的に説明すれば、本発明のファンモーターＭは、シャフト３０にインサート射出して上記シャフト３０と共に回転するローター１０、上記ローター１０と対向する位置に設けられるステータ２０、上記ステータ２０を構成する上部インシュレータ２１とコア２２及びモーターブラケット８０を結合する上部カバー用ブラケット６０、固定設置用ブラケット７０に安置されて上記ステータ２０のコア２２の上、下部インシュレータ２１、２３及び印刷回路基板５０を結合するモーターブラケット８０、及び上記下部インシュレータ２３の下方に結合させた印刷回路基板５０の下部面とモーターブラケット８０の内側の下部面の間に形成させた空間部Ｓに充填させたシーリング部材１００を含んで構成することができる。
【００２５】
本発明で提示するローター１０は、シャフト３０にインサート射出して上記シャフト３０と共に回転するように一つのボディーと成形して提供しているので、ファンモーターＭを組み立てる時に部品数を減らして速やかに組み立てることができるし、シャフト３０が上記ローター１０と共に回転するようになるのでシャフト３０の流動性を減らすことができて、騷音や振動を減殺することができ、特に、ローター１０の中央内部に形成した腰入部１１の内周面を上記モーターブラケット８０の中央へ突出するように形成した嵌め込み突起部８１の外周面に配置させて上記ローター１０の重心を上記嵌め込み突起部８１の外周面に位置させることで １個のオイレスベアリング４０をシャフト３０に設けてもローター１０の回転は何ら障害なしに容易に回転される。
【００２６】
したがって、本発明は上記ローター１０がシャフト３０と一体を成しながら１個のオイレスベアリング４０を使うことになるので、組み立て部品の数を減らして迅速な組み立て工程を確保することができるし、さらにファンモーターＭの大量生産時の製造コストを大きく節減することができる。
【００２７】
本発明のステータ２０、印刷回路基板５０、上部カバー用ブラケット６０及びモーターブラケット８０の具体的な構成を図２ないし図６、及び図１３を通じて具体的に説明する。
【００２８】
ステータ２０の上、下部インシュレータ２１、２３のそれぞれの下部及び上部の周りには、後述するモーターブラケット８０の内側に一定間隔で突出して形成された長手方向の複数の固定案内片８２が嵌め込まれる案内溝２１'、２３'が形成される。そして、ステータ２０を構成するコア２２の周囲面に上記モーターブラケット８０の固定案内片８２が嵌め込まれる複数の案内溝２２'が形成される。印刷回路基板５０の周囲面には上記モーターブラケット８０の固定案内片８２が嵌め込まれる複数の案内溝５０'が形成される。
【００２９】
上記上部カバー用ブラケット６０は、その周りに形成した上記モーターブラケット８０の固定案内片８２が嵌め込まれる複数の案内溝６１と、上記案内溝６１と案内溝６１の間の周りの下方へと突出して形成された複数の半円型固定片６２を含んで構成することができる。
【００３０】
このような構成の上記上部カバー用ブラケット６０は、上記ステータ２０の上部インシュレータ２１に形成した案内溝２１'と上記案内溝６１を対向させて覆い、上記上部カバー用ブラケット６０の周りの下部面は、上記ステータ２０の上部インシュレータ２１の周りの上部面と接するようにし、半円型固定片６２の内側面６２'は上部インシュレータ２１の上部の周り２１Ａの周囲面２１Ａ’に接触させて上部インシュレータ２１をカバーすることができる。
【００３１】
上部カバー用ブラケット６０の半円型固定片６２の内側面６２'と、上部インシュレータ２１上部の周り２１Ａの周囲面２１Ａ'には、図示していない接着剤で接着させて上部カバー用ブラケット６０の流動を防止すると同時に、ローター１０の回転時の振動によって上部カバー用ブラケット６０が上部へ離脱されることを防止することができる。
【００３２】
また、図５に図示した一点鎖線部分に示したように、上部カバー用ブラケット６０の半円型固定片６２の内側に係止突起６２"を形成して上部インシュレータ２１上部の周り２１Ａの上部面に上記係止突起６２"が引っかかるようにした後、該部分に接着剤で接着して固定することができる。
【００３３】
本発明の別の実施例として、上記上部カバー用ブラケット６０の半円型固定片６２をより正確且つ速かに上部インシュレータ２１に被せようとする場合は、図１１及び図１２のように、上記上部インシュレータ２１の上部周り２１Ａに上記半円型固定片６２が嵌め込まれる凹溝２１Ａ"を形成し、上記半円型固定片６２を凹溝２１Ａ"に対応させて嵌め込めば容易に結合することができる。この場合、半円型固定片６２の内側面６２'と上部インシュレータ２１の上部周り２１Ａに形成した凹溝２１Ａ" の内側面は接着剤で接着して固定することができる。
【００３４】
上記モーターブラケット８０は、上述したように、中央へ突出して形成した内部に空間部８１'を有する嵌め込み突起部８１と、内周面に一定間隔を置いて内側に突出して形成された複数の固定案内片８２と、上記モーターブラケット８０一側に印刷回路基板５０と電気的に接続するリード線１１０の引き出し穴８３、及び外側へ突出して形成された固定ボルト１２０用固定片８４を含んで構成することができるし、上記モーターブラケット８０は、上記固定設置用ブラケット７０の内側に形成した係止突起７１に上記固定片８４を安置した後、固定ボルト１２０で固定させて設けることができる。また、上記嵌め込み突起部８１の中央に形成した空間部８１'には、図７のようにシャフト３０に嵌め込まれるオイレスベアリング４０が配置される。
【００３５】
本発明はステータ２０の上、下部インシュレータ２１、２３とコア２２が互いに結合され、印刷回路基板５０が結合された状態で上記ローター１０の周りに上記ステータ２０を挿着してモーターブラケット８０と上記ステータ２０を結合させる。この時、コア２２の周囲面に形成した案内溝２２'と、上記モーターブラケット８０の固定案内片８２を対応させて相互嵌め合わせると同時に、上、下部インシュレータ２１、２３、及び印刷回路基板５０のそれぞれの案内溝２１'、２３'、５０'とも上記モーターブラケット８０の固定案内片８２と対応させて相互嵌め合わせた後、上記上部カバー用ブラケット６０の案内溝６１にも上記モーターブラケット８０の固定案内片８２を嵌め込んで、図９及び図１０のように上部カバー用ブラケット６０とステータ２０及びモーターブラケット８０が、モーターブラケット８０の固定案内片８２を媒介にして相互結合されるようにする。
【００３６】
したがって、上部カバー用ブラケット６０とステータ２０及びモーターブラケット８０が相互嵌め合わせ式で結合するようになるので、速やかに組み立てられると同時に堅固な結合を維持することができるので、ローター１０が回転する時発生する振動などによってローター１０及びステータ２０が位置から離脱されることを防止できるようになる。
【００３７】
一方、上記印刷回路基板５０は、図６のように上記ステータ２０の下部インシュレータ２３に突出して形成された固定ピン２３Ａによって結合される。また、図８及び図１３のように、下部インシュレータ２３の下方に結合した印刷回路基板５０の下部面とモーターブラケット８０の内側下部面の間に形成した空間部Ｓには合成樹脂材のシーリング部材１００を充填させて、ローター１０が回転する時に発生する振動から上記シーリング部材１００が印刷回路基板５０を緩衝させて保護できるので、印刷回路基板５０に搭載された回路部品を保護することができる。
【００３８】
上記シーリング部材１００は、モーターブラケット８０を固定設置用ブラケット７０と結合した後、固定設置用ブラケット７０の内側に形成した係止突起７１の上部に形成した投入部７２を通して充填することができる。
【００３９】
以上で説明した本発明の詳細な説明は、本発明を理解させるために例えて説明したことに過ぎず、本発明の範囲を定めようとすることではないことを留意しなければならない。本発明の範囲は、以下に添付した特許請求の範囲によって決められるし、この範囲内での本発明の単純な変形や変更は、いずれも本発明の範囲に属するものとして理解されなければならない。
【符号の説明】
【００４０】
１０  ローター
１１  腰入部
２０  ステータ
２１、２３  上、下部インシュレータ
３０  シャフト
４０  オイレスベアリング
５０  印刷回路基板
６０  上部カバー用ブラケット
６１  案内溝
６２  半円型固定片
７０  固定設置用ブラケット
７１  係止突起
７２  投入部
８０  モーターブラケット
９０  ファン
１００  シーリング部材
１１０  リード線
１２０  固定ボルト
【図１】
2018102115.tif 000003
【図２】
2018102115.tif 000004
【図３】
2018102115.tif 000005
【図４】
2018102115.tif 000006
【図５】
2018102115.tif 000007
【図６】
2018102115.tif 000008
【図７】
2018102115.tif 000009
【図８】
2018102115.tif 000010
【図９】
2018102115.tif 000011
【図１０】
2018102115.tif 000012
【図１１】
2018102115.tif 000013
【図１２】
2018102115.tif 000014
【図１３】
2018102115.tif 000015